(57)【特許請求の範囲】
【請求項１】
化粧料基剤及び化粧機能付与成分を含む化粧料において、化粧料基剤としてトルマリン微粒子を添加した飼料により育成された蚕より作出されたトルマリンを含有するセリシン若しくはフィブロイン又はその両方を均質に分散させた化粧料基剤を用いたことを特徴とする化粧料。
【発明の詳細な説明】
【０００１】
【発明の属する技術分野】
本発明は、皮膚の活性に著しい効果を発揮するトルマリンを、凝集が生じることなく均質に分散させた基剤を用いた化粧料に関するものである。
【０００２】
【従来の技術】
通常化粧料は、粉体基剤や、半固形状又は液状の油性若しくは水性基剤に、着色剤、皮膚調整剤、美肌剤、栄養剤などの機能付与成分と界面活性剤、防腐剤、香料などの補助成分を配合して調製されている。
【０００３】
一方、近年、マイナスイオンが生体細胞を賦活し、生体に対して好影響を与えることが知られるようになり、このマイナスイオンを自律神経系、運動神経系の調節に利用して、睡眠、精神安定、疲労回復を行う研究が積極的になされ、このようなマイナスイオンを放出する物質の１つとして天然産のトルマリンが注目を浴びている。このトルマリンは、永久自発電気分極をしている物質で、外部電界の影響で分極のベクトルを変えず、また鉱物の中で最も強い永久分極特性を示す上、イオン結晶が外力に対応して誘電分極を生じる圧電効果や、急速に熱を受けた際に表面に電荷が現われる焦電効果も有している。
【０００４】
トルマリンは、このような電気的特性により、リンパ液の還流を促進し、皮膚をしなやかで潤いのある元気な酸性肌に保持することができる。すなわち、皮膚の活性に著しい効果を発揮する作用を有している。
そのため、このような作用を有するトルマリンを微粉末として化粧料の基剤に配合することが試みられている。
【０００５】
しかしながら、トルマリン微粉末を化粧料基剤中に配合しようとすると、微細な粉末である上に、トルマリンが自発分極性を有し、粒子が帯電することから、これが基剤中の高分子量成分と共に凝集し、均質に分散させることが困難であった。
【０００６】
【発明が解決しようとする課題】
本発明は、このような事情のもとで、皮膚の活性に著しい効果を発揮するトルマリンを、凝集させることなく、均質に分散させた化粧料を提供することを目的としてなされたものである。
【０００７】
【課題を解決するための手段】
本発明者らは、化粧料中にトルマリンを均質に分散させる方法について鋭意研究を重ねた結果、まゆ成分が天然物であって、人の皮膚との馴み性がよい点、及び他の化粧料原料との混合性がよい点に着目し、トルマリン微粉末の代りに、トルマリンを含有するまゆ構成成分を配合した基剤を用いれば、凝集を生じることなしに、トルマリンを均質に分散した化粧料基剤が容易に得られることを見出し、この知見に基づいて本発明を完成するに至った。
【０００８】
すなわち、本発明は、化粧料基剤及び化粧機能付与成分を含む化粧料において、化粧料基剤としてトルマリン微粒子を添加した飼料により育成された蚕より作出されたトルマリンを含有するセリシン若しくはフィブロイン又はその両方を均質に分散させた化粧料基剤を用いたことを特徴とする化粧料を提供するものである。
【０００９】
【発明の実施の形態】
本発明において用いられるトルマリンは、組成式
ＭＸ3Ｂ3Ａｌ3（ＡｌＳｉ2Ｏ9）3（Ｏ，ＯＨ，Ｆ）4
［式中のＭはＮａ又はＣａ、ＸはＡｌ、Ｆｅ（ＩＩＩ）、Ｌｉ、Ｍｇ又はＭｎ（ＩＩ）である］
で表わされるものである。
【００１０】
このトルマリンの主なものとしては、ショール、ドラバイト、ウバイト、エルバイトなどを挙げることができ、これらは結晶片岩、片麻岩、接触変成岩などに広く含まれている。また花崗岩ペグマタイトからは巨晶として得ることができる。通常トルマリンには、トルマリン以外の鉱物成分が混入しているが、本発明において用いるものは、トルマリンが含まれているものであれば、他にどのような鉱物成分が含まれていてもよい。
【００１１】
本発明において用いられるトルマリンを含有するセリシン若しくはフィブロイン又はその両方は、トルマリンを添加した餌料により育成された蚕により作出される。
蚕は、餌料として桑の葉を、睡眠期を除き、毎日摂取して成育する。この蚕は、幼虫期に約２５日でその間４回脱皮し、最終齢の５齢期に約１週間を要して、体中で桑の葉から絹タンパクを合成し、絹糸腺に貯え成熟して、２〜３日間程度要して、途切れなく約１２００ｍの糸を吐き、まゆを作る。
【００１２】
この蚕の成育期間中の最初の掃立時から５齢起蚕時まで、トルマリン微粒子を配合した人工餌料を給餌することにより、トルマリンが取り込まれたまゆが長期間にわたって形成される。また、トルマリンは餌料の酸化を防止する作用があるので、餌料を新鮮な状態に保持するという利点がある。
なお、蚕の成育期間中の最初の掃立時と４齢起蚕時、あるいは４齢と５齢起蚕時にトルマリン微粒子を配合した人工餌料を給餌してもよく、これにより作業量を大幅に軽減することができる。
【００１３】
前記人工餌料は、タンパク質、炭水化物、脂質、ビタミン類及び無機塩類など５大栄養素をバランスよく含むことが重要であり、また蚕は栄養の他に特別に水を飲まないので餌料中の水分率も重要である。
好ましい人工餌料としては、脱脂大豆粉末１５〜５０質量％、乾燥オカラ粉末１０〜５５質量％、デンプン５〜１５質量％、無機塩混合物２〜５質量％及び生体賦活性物質３〜１０質量％からなる混合物に適当量の乾燥桑葉粉末を加えて調製したものを挙げることができる。
【００１４】
人工餌料中へのトルマリン微粉末の混合量は、人工餌料全質量に基づき、０．００２〜５質量％の範囲で選ばれる。この量が０．００２質量％未満ではまゆ構成成分中のトルマリンの含有量が不十分になるし、５質量％よりも多くすると蚕が摂取しなくなるおそれが生じる。
【００１５】
トルマリン微粒子を人工餌料中に配合し、蚕に給餌して、得られたまゆ、さなぎ、糞中に含有されるトルマリン量としては、それぞれ、まゆ０．００３２８質量％、さなぎ０．０００４質量％、糞０．０５７８質量％であるとの測定結果が示されており、トルマリン量は糞が最も多いけれども、まゆ中にもかなりの量のトルマリンが含まれている。
なお、人工餌料中に配合されるトルマリン微粉末の平均粒径は、通常０．０１〜２μｍ、好ましくは０．１〜１μｍの範囲である。
【００１６】
さらに、まゆは二本のフィブロインからなる長繊維とそれを取巻くセリシンとで構成されている。このフィブロインはグリシン、アラニンを主体として、バリン、アスパラギン酸、グルタミン酸などからなるタンパク質であり、セリシンはセリン、アスパラギン酸、グルタミン酸、さらにはグリシン、アラニンにも富む親水性のタンパク質である。まゆにおけるフィブロインとセリシンの構成比は、通常フィブロイン７０〜８０質量％、セリシン２０〜３０質量％である。
一方、トルマリンの含有量は、通常フィブロイン１、セリシン２の割合である。このことはセリシンが多孔質の性質をもっているので、トルマリンが多く入りやすいと考えられる。
【００１７】
本発明で用いられるトルマリンを含有するタンパク質は、セリシン又はフィブロイン単独でも、またその両方の混合物でもよい。
このセリシンやフィブロインの分離、抽出方法は種々あるが、例えば、生まゆ、乾まゆ、もしくは煮まゆしたまゆのまゆ層もしくはまゆ糸を、あるいは生糸、絹織物又はそれらの残糸を、（１）中性塩水溶液に溶解後に分別沈殿処理、（２）アルカリ水溶液による温和な処理、（３）尿素水溶液による温和な処理、（４）加圧熱水処理、（５）酵素精錬処理などによって分離、抽出する方法を用いることができる。
【００１８】
本発明の基剤は、一般の化粧料に慣用されている化粧料基剤であればどのようなものでもよく、特に制限はない。このような化粧料基剤の例としては、油性固体状基剤、油性半固体状基剤、水性基剤、粉体基剤などを挙げることができる。
【００１９】
そして、このような基剤を形成させるために用いる原料としては、ミツロウ、カカオ脂、カルナバロウ、高級脂肪酸（ステアリン酸、ラウリン酸，ベヘニン酸）、固形パラフィン、セレシン、セチルアルコール、ベヘニルアルコール、ステアリルアルコール、ワセリン、ミンクワックス、ラノリン、スクワラン、オリーブ油、ホホバ油、マカデミヤナッツ油、流動パラフィン、オレイン酸、リノール酸、トリ（２‐エチルヘキサン酸）グリセリン、ミリスチン酸オクタデシル、シリコーンオイルなどの油性主剤、１，３‐ブチレングリコール、グリセリン、ポリエチレングリコール、ソルビット、ヒアルロン酸ナトリウム、コンドロイチン硫酸ナトリウム、アミノ酸、コラーゲン、ピロリドンカルボン酸、各種動植物エキスなどの保湿剤、カルボキシメチルセルロースナトリウム、ポリビニルアルコール、キサンタンガム、クイーンシードガム、カルボキシビニルポリマー、ヒドロキシプロピルセルロース、アラビアゴム、トラガントゴムなどの増粘剤、モノステアリン酸ポリエチレングリコール、モノステアリン酸ソルビタン、ポリオキシエチレン硬化ヒマシ油、グリセリン脂肪酸エステル、ポリオキシエチレンヘキサデシルエーテル、ポリエーテル型変性シリコーン、ラウリル硫酸ナトリウム、ラウリル硫酸トリエタノールアミン、Ｎ‐ラウロイル‐Ｌ‐グルタミン酸ナトリウム、ラウリルリン酸ナトリウム、塩化ステアリルジメチルベンジルアンモニウム、ショ糖脂肪酸エステル、カゼインナトリウム、エラスチンなどの界面活性剤を挙げることができる。
【００２０】
このようにして調製された本発明の化粧料は、上記の化粧料基剤に、化粧効果を奏するのに必要な機能付与成分及び化粧効果には直接関係のない任意成分を配合し、基礎化粧料例えば化粧水、乳液、クリーム、ローション、オイル、パックなど、頭髪用化粧料例えばシャンプー、リンス、ヘアトリートメント、ヘアークリーム、ポマード、ヘアスプレー、整髪料、パーマ剤、ヘアートニック、育毛・養毛料など、メークアップ化粧料例えばファンデーション、白粉、口紅、頬紅、アイシャドウ、アイライナー、マスカラ、眉墨などに調製される。この機能付与成分の例としては、各種ビタミンのような栄養剤、香料、色素、紫外線吸収剤、美白剤などがある。
【００２１】
【実施例】
次に、実施例により本発明をさらに詳細に説明するが、本発明はこれらの例によってなんら限定されるものではない。
【００２２】
なお、各例における化粧料の基本的な組成例を表１に示す。
【００２３】
【表１】
0003816790.tif 000002
【００２４】
参考例１
（１）トルマリン含有まゆの作出
人工餌料中に、平均粒径０．７μｍのトルマリン微粉末を配合し、これを蚕に給餌し、かつ、該蚕を無菌状態で育成した。
表２に、人工餌料の組成と量とを稚蚕用（１−３齢）と壮蚕用（４、５齢）について示す。
【００２５】
【表２】
0003816790.tif 000003
【００２６】
稚蚕用人工餌料粉体３００ｇを秤量し、２．４倍の水を加えてよく混練し、これを平板状に成型したものを９６℃で１時間蒸気で滅菌した。
育成容器６４×３８×９ｃｍを予めクライト溶液にて消毒しておき、この容器に前記人工餌料を載せ、蚕１００頭を育成した。
掃立時１−３齢１回稚蚕用人工餌料を与え、４齢１回、５齢１回壮蚕用人工餌料を与え、合計３回新しく作った人工餌料を与えた。
詳細な育成状況は省くが、まゆができるまで無菌状態を細心の注意を払って維持する。
【００２７】
次に、１００頭の蚕から、まゆ６３個を選び、まゆとさなぎと糞の中に含まれているトルマリンの量を測定した。すなわち、まゆ６３個２８．６２ｇ、さなぎ６２ｇ、糞１１１ｇをそれぞれ取り出して、完全に灰化するまで燃焼し、その結果、灰分は、糞０．１２質量％、まゆ０．０１２質量％、さなぎ０．０１２質量％であった。
ここで用いたトルマリンの化学組成は、ショールＮａ（Ｆｅ，Ｍｎ）3Ａｌ6Ｂ3Ｓｉ6Ｏ27（ＯＨ，Ｆ）4であった。この灰分中のホウ素量を原子吸光分析試験により測定した。測定したホウ素量をトルマリン量に換算した結果、それぞれのトルマリン含有量は、まゆ０．００３２８質量％、さなぎ０．０００４質量％、糞０．０５７８質量％であることが判明した。このことより糞中のトルマリン量は確かに多いけれども、まゆ中にもかなりの量のトルマリンが含まれていることが分かった。
【００２８】
（２）トルマリン含有まゆとトルマリン含有フィブロインの比較活性試験
前記トルマリン含有まゆ２０ｇをわた状態にした試料（Ａ）と、トルマリン含有人工餌料のまゆを熱水で十分に煮て、セリシンを取り去り、トルマリン含有フィブロインにした２０ｇのわた状試料（Ｂ）を作り、水の電気伝導度の試験を行った。
図１は、マイナスイオンの発生状況を調べるための実験装置の概要図であり、試料活性装置における試料活性器２の内部に設けた試料装着部３に各試料を装着する。送風ポンプ１から試料活性器２に、脱二酸化炭素などの処理が施された清浄な空気を１００ｍｌ／分の速度で導入する。この際、試料装着部３の試料は、試料活性器２に設けたセラミックスなどの発熱体４により、３６℃に保持する。この温度調節のために、試料活性器２には、温度計５と温度センサー６が装備されている。
試料装着部３を通過した空気は、ビーカー９中に収容されている蒸留水１０（恒温槽８により、２１℃に保持され、この２１℃における電気伝導度１．７μｓ／ｃｍ）の水面上に吹き付けられる。蒸留水１０には白金棒１１が挿入されており、その電気伝導度の変化を、電気伝導度計１２（ヒューレットパッカード社製，プレシジョンＬＣＲメーター４２８５Ａ）で測定した。なお、７は電源である。
【００２９】
（３）トルマリンを含有していないまゆの活性試験
前記（１）におけるトルマリン含有まゆの作出において、表２に示す人工餌料の組成の中からトルマリンを除いた人工餌料により、蚕を無菌状態で同一条件でまゆを作出し、このまゆ２０ｇをわた状態にした試料（Ｃ）を作り、水の電気伝導度の試験を行った。
【００３０】
（４）水の電気伝導度の試験結果
図２は、トルマリン含有人工餌料のまゆであるわた状試料（Ａ）と、トルマリン含有人工餌料のまゆを熱水で十分に煮て、セリシンを取り去り、トルマリン含有フィブロインにしたわた状試料（Ｂ）と、トルマリンを含有していない人工餌料のまゆであるわた状試料（Ｃ）の水の電気伝導度の試験結果を示し、縦軸は電気伝導度（μｓ／ｃｍ）であり、横軸は測定開始からの経過時間である。この図２によりトルマリン含有人工餌料のまゆである前記（Ａ）はトルマリンを含有していない人工餌料のまゆである（Ｃ）よりもはるかに高い値を示しており、マイナスイオンが多量に発生していることが分かる。
また、トルマリン含有人工餌料のまゆを熱水で十分に煮て、セリシンを取り去り、トルマリン含有フィブロインにしたわた状試料（Ｂ）もトルマリンを含有していない人工餌料のまゆである（Ｃ）よりも高い値を示しており、マイナスイオンがかなりの量、発生していることが分かる。
【００３１】
参考例２
参考例１の（１）と同様にして得た平均粒径０．７μｍのトルマリン微粉末含有餌料を給餌した蚕から得られたまゆを用い、セリシン及びフィブロインを分離、抽出した。セリシン及びフィブロインのトルマリン量はまゆのセリシンとフィブロインの構成質量比（１：２）と、トルマリン含有割合（セリシン２、フィブロイン１）とから換算すると、セリシン中には（セリシン質量）×１．２８×１０-3／１００、フィブロイン中には（フィブロイン質量）×０．６４×１０-3／１００のトルマリンが含まれていることになる。
【００３２】
実施例１
参考例２と同様にして得た化粧料の全質量基準で、トルマリン１．２８×１０-3質量％を含有したセリシン５質量％をプロピレングリコール５．２質量％と十分に混合、分散させた。この混合物と表１中のＮｏ．８〜Ｎｏ．１１及びＮｏ．１２の精製水残量とを十分に混合し、８０℃に保ち、これに表１中のＮｏ．１〜Ｎｏ．６を８０℃にして混入し、水冷撹拌し、さらに、表１中のＮｏ．１３を加え、３０℃にして撹拌を止め、静置することにより化粧料を調製した。
これと同一方法で調製した化粧料５種について観察したところ、いずれもトルマリンの凝集は生ぜず、均一に分散していた。
【００３３】
比較例１
実施例１において、トルマリン１．２８×１０-3質量％を含有したセリシン５質量％を用いる代わりに、同一量の平均粒径０．７μｍのトルマリン微粉末をセリシン５質量％に混入したものを用いた（ただし、精製水量はそれらの残量）以外は、実施例１と同様にして化粧料５種を調製した。
これらを観察したところ、いずれもトルマリンの凝集がみられた。
【００３４】
実施例２
実施例１において、トルマリン１．２８×１０-3質量％を含有したセリシン５質量％を用いる代わりに、実施例１で得られたトルマリン０．６４×１０-3質量％を含有したフィブロイン粉末を、化粧料全質量基準で５質量％用いた（ただし、精製水量はそれらの残量）以外は、実施例１と同様にして化粧料５種を調製した。
これらを観察したところ、いずれもトルマリンの凝集は生ぜず、均一に分散していた。
【００３５】
比較例２
実施例２において、トルマリン０．６４×１０-3質量％を含有したフィブロイン粉末５質量％を用いる代わりに、同一量の平均粒径０．７μｍのトルマリン微粉末をフィブロイン５質量％に混入したものを用いた（ただし、精製水量はそれらの残量）以外は、実施例２と同様にして化粧料５種を調製した。
これらを観察したところ、いずれもトルマリンの凝集がみられた。
【００３６】
【発明の効果】
本発明によれば、皮膚の活性に著しい効果を発揮するトルマリンを、凝集が生じることなく均質に分散させた化粧料を提供することができる。
【図面の簡単な説明】
【図１】  マイナスイオンの発生状況を調べるための実験装置の概要図。
【図２】  参考例１における各試料の活性試験結果を示すグラフ。
【符号の説明】
１  送風ポンプ
２  試料活性器
３  試料装着部
４  発熱体
８  恒温槽
９  ビーカー
１０  蒸留水
１２  電気伝導計
【図１】
0003816790.tif 000004
【図２】
0003816790.tif 000005